(57)【要約】【課題】金型収納ラックからの金型の取出作業の作業性を十分かつ安定的に高めること。【解決手段】箱型のラック本体１６内に、金型１２（１４）を収納するための凹状の複数の収納部を有した収納棚２６が奥行方向に移動可能に設けられている。各収納部２６の奥行方向の手前側に、各収納部２６の位置を指示する指示ランプ４４が設けられ、各収納部２６の奥行方向の手前側に、指示ランプ４４を保護するランプガード３８が設けられている。各ランプガード３８の上部から奥行方向の奥側の側部にかけて、対応する指示ランプ４４からの光Ｓを通過させるための通過空間ＰＩが形成されている。【選択図】図８
2020069519.tif 000002
【特許請求の範囲】
【請求項１】
箱型のラック本体内に奥行方向に移動可能に設けられ、ワークの曲げ加工に用いられる金型を収納するための凹状の複数の収納部を有した収納棚と、
各収納部の奥行方向の手前側に設けられ、前記収納部の上面に対して下方向に没入し、各収納部の位置を指示する指示ランプと、
各収納部の奥行方向の手前側に設けられ、前記指示ランプを保護するランプガードと、を備え、
各ランプガードの上部から奥行方向の奥側の側部にかけて、対応する前記指示ランプからの光を通過させるための通過空間が形成されていることを特徴とする金型収納ラック。
【請求項２】
各ランプガードは、対応する前記指示ランプからの光を奥行方向の手前側に向かって反射させる反射壁を有していることを特徴とする請求項１に記載の金型収納ラック。
【請求項３】
前記収納棚に奥行方向に延びた直線溝が形成され、
前記ランプガードは、前記直線溝を前記収納部に規定するための規定部材であることを特徴とする請求項１又は請求項２に記載の金型収納ラック。
【請求項４】
前記ラック本体内に上下に複数段の前記収納棚が設けられていることを特徴とする請求項１から請求項３のうちのいずれか１項に記載の金型収納ラック。
【請求項５】
各指示ランプは、ＬＥＤランプであることを特徴とする請求項１から請求項４のうちのいずれか１項に記載の金型収納ラック。
【発明の詳細な説明】
【技術分野】
【０００１】
本発明は、プレスブレーキによる板状のワーク（板金）の曲げ加工に用いられる多数の金型を収納する金型収納ラックに関する。
【背景技術】
【０００２】
従来の金型収納ラックにおける箱型のラック本体内には、上下に複数段の収納棚が奥行方向へ移動可能に設けられている。各収納棚は、金型を収納するための凹状の多数の収納部を有しており、多数の収納部は、幅方向に複数列に並んでいる。各収納棚の各収納部に対応する位置には、その各収納部の位置（場所）を指示する指示ランプが設けられている（特許文献１参照）。
【０００３】
作業者が金型収納ラックにおける所定の収納部から所定の金型を取り出す場合には、所定の指示ランプが所定の収納部の位置を指示する。これにより、作業者は、金型収納ラックの奥行方向の手前側、換言すれば、収納棚の引き出し側から所定の収納部を視認することができる。その結果、金型収納ラックからの金型の取出作業の作業性を高めることができる。
【０００４】
作業者が金型収納ラックにおける空の所定の収納部に所定の金型を戻す場合には、所定の指示ランプが空の所定の収納部の位置を指示する。これにより、作業者は、収納棚の引き出し側から空の所定の収納部を視認することができる。その結果、金型収納ラックへの金型の戻し作業の作業性を高めることができる。
【０００５】
なお、本発明に関連する先行技術として、特許文献１の他に、特許文献２に示すものがある。
【先行技術文献】
【特許文献】
【０００６】
【特許文献１】特許第４８７１８３８号公報
【特許文献２】特許第３３２８７２５号公報
【発明の概要】
【発明が解決しようとする課題】
【０００７】
ところで、金型収納ラックが設置される工場の環境は様々であり、工場の環境によっては、作業者が金型収納ラックにおける所定の収納部から所定の金型を取り出す場合に、収納棚の引き出し側から作業者が所定の収納部を十分に視認できないことがある。同様に、金型収納ラックにおける空の所定の収納部に所定の金型を戻す場合に、収納棚の引き出し側から作業者が空の所定の収納部を十分に視認できないことがある。そのため、金型収納ラックからの金型の取出作業の作業性、及び金型収納ラックへの金型の戻し作業の作業性を十分かつ安定的に高めることが困難であるという問題がある。
【０００８】
そこで、本発明は、少なくとも、作業者が金型収納ラックにおける所定の収納部から所定の金型を取り出す場合に、所定の収納部の視認性を高めることができる、新規な構成からなる金型収納ラックを提供することを課題とする。
【課題を解決するための手段】
【０００９】
本発明の実施態様に係る金型収納ラックは、箱型のラック本体内に奥行方向に移動可能に設けられ、ワークの曲げ加工に用いられる金型を収納するための凹状の複数の収納部を有した収納棚と、各収納部の奥行方向の手前側に設けられ、前記収納部の上面に対して下方向に没入し、各収納部の位置（場所）を指示する指示ランプと、各収納部の奥行方向の手前側に設けられ、前記指示ランプを保護するランプガードと、を備えている。そして、各ランプガードの上部から奥行方向の奥側の側部にかけて、対応する前記指示ランプからの光を通過させるための通過空間が形成されている。
【００１０】
本発明の実施態様では、各ランプガードは、対応する前記指示ランプからの光を奥行方向の手前側に向かって反射させる反射壁を有してもよい。また、前記収納棚に奥行方向に延びた直線溝が形成され、前記ランプガードは、前記直線溝を前記収納部に規定するための規定部材であってもよい。
【００１１】
本発明の実施態様では、前記ラック本体内に上下に複数段の前記収納棚が設けられてもよい。また、各指示ランプは、ＬＥＤ（発光ダイオード）ランプであってもよい。
【００１２】
本発明の実施態様によると、作業者が前記金型収納ラックにおける所定の前記収納部から所定の金型を取り出す場合には、所定の前記指示ランプが所定の前記収納部の位置を指示する。これにより、作業者は、前記金型収納ラックの奥行方向の手前側（正面側）、換言すれば、前記収納棚の引き出し側から所定の前記収納部を視認することができる。
【００１３】
ここで、前述のように、各ランプガードの上部から奥行方向の奥側の側部にかけて前記通過空間が形成されている。そのため、所定の前記指示ランプからの光が前記収納棚の引き出し側に直接光として照射される他に、前記通過空間を通過して所定の金型に当たって、前記収納棚の引き出し側に反射光として照射される。これにより、作業者が前記金型収納ラックにおける所定の前記収納部から所定の金型を取り出す場合に、所定の前記収納部の存在を強調して、所定の前記収納部の視認性を高めることができる。
【００１４】
作業者が前記金型収納ラックにおける空の所定の前記収納部に所定の金型を戻す場合には、所定の前記指示ランプが空の所定の前記収納部の位置を指示する。これにより、作業者は、前記収納棚の引き出し側から空の所定の前記収納部を視認することができる。
【００１５】
ここで、前述のように、各ランプガードが前記反射壁を有した場合には、所定の前記指示ランプからの光が前記収納棚の引き出し側に直接光として照射される他に、前記反射壁に当たって、前記収納棚の引き出し側に反射光として照射される。これにより、前記金型収納ラックにおける空の所定の前記収納部に所定の金型を戻す場合に、所定の前記収納部の存在を強調して、空の所定の前記収納部の視認性を高めることができる。
【発明の効果】
【００１６】
本発明によれば、前記金型収納ラックからの金型の取出作業の作業性を十分かつ安定的に高めることができる。
【図面の簡単な説明】
【００１７】
【図１】図１は、本発明の実施形態に係る金型収納ラックの斜視図であり、多数のパンチ金型及び多数のダイ金型を収納した様子を示している。
【図２】図２は、本発明の実施形態に係る金型収納ラックの斜視図であり、パンチ金型及びダイ金型を収納しかつ下から１段目と２段目の収納棚を引き出した様子を示している。
【図３】図３は、本発明の実施形態に係る金型収納ラックの斜視図であり、パンチ金型及びダイ金型を収納する前の様子を示している。
【図４】図４は、本発明の実施形態に係る金型収納ラックの側面図であり、パンチ金型及びダイ金型を収納する前の様子を示している。
【図５】図５は、収納棚の一例として下から１段目と２段目の収納棚の平面図であり、ダイ金型を収納する前の様子を示している。
【図６】図６は、収納棚の一例として下から１段目と２段目の収納棚の部分斜視図であり、複数のダイ金型を収納した様子を示している。
【図７】図７は、収納棚の一例として下から１段目と２段目の収納棚の部分正断面であり、複数のダイ金型を収納した様子を示している。
【図８】図８は、図７におけるVIII-VIII線に沿った断面図であり、ＬＥＤランプからの光の反射の様子を示している。
【図９】図９（ａ）は、規定部材の斜視図であり、図９（ｂ）は、図７におけるIX部の拡大図である。
【発明を実施するための形態】
【００１８】
本発明の実施形態について図面を参照して説明する。
【００１９】
なお、本願の明細書及び特許請求の範囲において、「設けられる」とは、直接的に設けられることの他に、別部材を介して間接的に設けられることを含む意である。「奥行方向」とは、金型収納ラックの奥行方向のことをいい、本発明の実施形態では、前後方向と同義である。「奥行方向の手前側」とは、金型収納ラックの奥行方向の手前側のことであり、金型収納ラックの正面側（前側）又は収納棚の引き出し側と同義である。「奥行方向の奥側」とは、金型収納ラックの奥行方向の奥側のことであり、金型収納ラックの背面側（後側）又は収納棚の押し入れ側と同義である。「幅方向」とは、金型収納ラックの幅方向のことをいい、本発明の実施形態では、左右方向と同義である。
【００２０】
図面中、「ＤＣ」は奥行方向、「ＷＣ」は幅方向、「ＦＦ」は前方向（奥行方向の前側）、「ＦＲ」は後方向（奥行方向の奥側）、「Ｌ」は左方向（幅方向の一方側）、「Ｒ」は右方向（幅方向の他方側）、「Ｕ」は上方向、「Ｄ」は下方向をそれぞれ指している。
【００２１】
図１から図４に示すように、本発明の実施形態に係る金型収納ラック１０は、プレスブレーキ（図示省略）による板状のワーク（板金）の曲げ加工に用いられる多数の金型として多数のパンチ金型１２及び多数のダイ金型１４を収納する装置である。パンチ金型１２は、プレスブレーキの上部テーブル（図示省略）に装着され、ダイ金型１４は、プレスブレーキの下部テーブル（図示省略）に装着される。
【００２２】
金型収納ラック１０は、箱型のラック本体１６を備えており、ラック本体１６は、奥行方向及び上下方向に延びている。また、ラック本体１６は、４本の支柱１８と、４本の支柱１８の上端部に固定された矩形の天板２０と、４本の支柱１８の下端部側に固定された矩形の底板２２と、複数の支柱１８を連結する複数の連結板２４とを有している。
【００２３】
ラック本体１６内には、上下に複数段（本発明の実施形態にあっては、例えば５段）の収納棚２６が設けられている。下から１段目と２段目の収納棚２６は、多数のダイ金型１４をそれぞれ収納し、下から３段目から５段目の収納棚２６は、多数のパンチ金型１２をそれぞれ収納する。また、各収納棚２６は、特許文献２に示す公知の構成からなる一対のスライドレール機構２８によって奥行方向に移動可能に構成されている。換言すれば、各収納棚２６は、一対のスライドレール機構２８によってラック本体１６に対して出し入れ可能に構成されている。
【００２４】
続いて、金型収納ラック１０の要部である収納棚２６及びその周辺の構成について説明する。なお、図５から図８には、収納棚２６の一例として下から２段目の収納棚２６を示しているが、他の収納棚２６も下から２段目の収納棚２６と同様の構成を有している。
【００２５】
図２、図５から図８に示すように、各収納棚２６は、トレイ状の収納棚ベース３０を有しており、収納棚ベース３０は、奥行方向に延びている。各収納棚ベース３０には、適数（複数又は１つ）のダイ金型１４又は適数のパンチ金型１２を保持するための断面略Ｕ字形状の複数の金型保持部材３２が幅方向に間隔を置いて設けられている。各金型保持部材３２は、奥行方向に延びており、各金型保持部材３２の両上縁部には、水平なフランジ部３２ｆがそれぞれ形成されている。各金型保持部材３２には、複数対又は一対の切欠３２ｎが奥行方向に間隔を置いて形成されている。金型保持部材３２の複数対の切欠３２ｎは、奥行方向に間隔を置いて配置されており、金型保持部材３２の一対の切欠３２ｎは、金型保持部材３２の前端側に配置されている。
【００２６】
各金型保持部材３２の上側には、奥行方向に延びた収納プレート３４が設けられており、各収納プレート３４には、奥行方向に延びたスリット３４ｓが形成されている。ここで、各収納プレート３４のスリット３４ｓ及び各金型保持部材３２の内側部分は、奥行方向に延びた直線溝３６に相当する。換言すれば、各収納棚２６には、複数の直線溝３６が幅方向に間隔を置いて形成されている。
【００２７】
図５から図８に示すように、各収納棚２６の各直線溝３６内には、その各直線溝３６をダイ金型１４又はパンチ金型１２を収納するための凹状の適数（複数又は１つ）の収納部３６ｄに規定するための適数の規定部材３８が設けられている。直線溝３６内に設けた複数の規定部材３８は、奥行方向に間隔を置いて配置されており、直線溝３６を複数の収納部３６ｄに仕切る。直線溝３６内に設けた複数の規定部材３８の幅方向の両側部は、金型保持部材３２の複数対の切欠３２ｎにそれぞれ嵌合している。直線溝３６内に設けた１つ規定部材３８は、直線溝３６内の前端側に配置されており、直線溝３６内に設けた１つ規定部材３８の幅方向の両側部は、金型保持部材３２の一対の切欠３２ｎに嵌合している。
【００２８】
図６から図９（ａ）に示すように、各規定部材３８は、各収納部３６ｄの奥行方向の手前側（前側近傍）に配置されており、各規定部材３８の上面は、各収納部３６ｄの上面と略同一平面上に位置している。各規定部材３８は、ステンレス鋼からなる板金の曲げ加工によって製作されており、各規定部材３８の幅方向の両側部は、開放されている。なお、各規定部材３８をステンレス鋼からなるソリッド材を切削加工等によって製作してもよい。
【００２９】
図６から図８に示すように、各収納棚ベース３０における各金型保持部材３２の近傍には、奥行方向に延びた回路基板４０がブラケット４２を介して設けられている。各回路基板４０には、適数の指示ランプとしてＬＥＤ（発光ダイオード）ランプ４４がサポート部材４６を介して設けられている。各ＬＥＤランプ４４は、各収納部３６ｄの奥行方向の手前側に配置されており、各収納部３６ｄの位置（場所）を点灯によって指示する。換言すれば、各収納部３６ｄの奥行方向の手前側には、ＬＥＤランプ４４が設けられており、各ＬＥＤランプ４４は、各収納部３６ｄの上面に対して下方向に没入している。なお、各ＬＥＤランプ４４が各収納部３６ｄの位置を点灯によって指示する代わりに、点滅によって指示してもよい。
【００３０】
図６から図９（ａ）（ｂ）に示すように、各ＬＥＤランプ４４は、各規定部材３８の内側に配置されており、各規定部材３８に保護されている。換言すれば、各規定部材３８は、各ＬＥＤランプ４４を保護するランプガードに相当し、各収納部３６ｄの奥行方向の手前側には、ランプガードとしての規定部材３８が設けられている。また、各規定部材３８の上部から奥行方向の奥側（後側）の側部にかけて、切欠３８ｎが形成されている。換言すれば、各規定部材３８の上部から奥行方向の奥側の側部にかけて、対応するＬＥＤランプ４４からの光Ｓを通過させるための通過空間（通過領域）ＰＩが切欠３８ｎによって形成されている。各規定部材３８は、その奥行方向の奥側に、対応するＬＥＤランプからの光Ｓを奥行方向の手前側に向かって反射させる山型状の反射壁３８ｒを有している。
【００３１】
図２及び図３に示すように、ラック本体１６の正面における各収納棚２６に対応する位置には、各収納棚２６の段数を点灯によって指示するＬＥＤランプ４８が設けられている。また、ラック本体１６内の適宜位置には、コントローラ（図示省略）を内蔵したコントロールボックス５０が設けられている。コントローラは、プレスブレーキの制御装置（図示省略）からの指令に基づいて、多数のＬＥＤランプ４４及び複数（５つ）のＬＥＤランプ４８を制御する。
【００３２】
続いて、本発明の実施形態の作用及び効果について説明する。
【００３３】
作業者が金型収納ラック１０における適数（複数又は１つ）の所定の収納部３６ｄから適数の所定のダイ金型１４を取り出す場合には、適数の所定のＬＥＤランプ４８が適数の所定の収納部３６ｄを有した適数の収納棚２６の段数を点灯によって指示する。また、適数の所定のＬＥＤランプ４４が適数の所定の収納部３６ｄの位置を点灯によって指示する。これにより、作業者は、金型収納ラック１０の奥行方向の手前側（正面側）、換言すれば、収納棚２６の引き出し側から適数の所定の収納部３６ｄを視認することができる。
【００３４】
ここで、前述のように、各規定部材３８の上部から奥行方向の奥側の側部にかけて、対応するＬＥＤランプ４４からの光Ｓを通過させるための通過空間ＰＩが形成されている。そのため、適数の所定のＬＥＤランプ４４からの光Ｓが収納棚２６の引き出し側に直接光として照射される他に、図８において一点鎖線で示すように、通過空間ＰＩを通過して適数の所定のダイ金型１４に当たって、収納棚２６の引き出し側に反射光として照射される。これにより、作業者が金型収納ラック１０における適数の所定の収納部３６ｄから適数の所定のダイ金型１４を取り出す場合に、適数の所定の収納部３６ｄの存在を強調して、適数の所定の収納部３６ｄの視認性を高めることができる。
【００３５】
なお、作業者が金型収納ラック１０における適数の所定の収納部３６ｄから適数の所定のパンチ金型１２を取り出す場合も、前述と同様の作用を奏する。
【００３６】
作業者が金型収納ラック１０における適数の空の所定の収納部３６ｄに適数の所定のダイ金型１４を戻す場合には、適数の所定のＬＥＤランプ４８が適数の空の所定の収納部３６ｄを有した適数の収納棚２６の段数を点灯によって指示する。また、適数の所定のＬＥＤランプ４４が適数の空の所定の収納部３６ｄの位置を点灯によって指示する。これにより、作業者は、収納棚２６の引き出し側からが適数の空の所定の収納部３６ｄを視認することができる。
【００３７】
ここで、前述のように、各規定部材３８は、その奥行方向の奥側に、対応するＬＥＤランプ４４からの光Ｓを奥行方向の手前側に向かって反射させる山型状の反射壁３８ｒを有している。そのため、適数の所定のＬＥＤランプ４４からの光Ｓが収納棚２６の引き出し側に直接光として照射される他に、図８において二点鎖線で示すように、適数の所定のＬＥＤランプ４４からの光Ｓが対応する規定部材３８の反射壁３８ｒに当たって、収納棚２６の引き出し側に反射光として照射される。これにより、金型収納ラック１０における適数の空の所定の収納部３６ｄに適数の所定のダイ金型１４を戻す場合に、適数の空の所定の収納部３６ｄの存在を強調して、適数の空の所定の収納部３６ｄの視認性を高めることができる。
【００３８】
作業者が金型収納ラック１０における適数の空の所定の収納部３６ｄに適数の所定のダイパンチ１２を戻す場合も、前述と同様の作用を奏する。
【００３９】
従って、本発明の実施形態によれば、前述のように、作業者が金型収納ラック１０における適数の所定の収納部３６ｄから適数の所定のダイ金型１４（パンチ金型１２）を取り出す場合に、適数の所定の収納部３６ｄの存在を強調して、適数の所定の収納部３６ｄの視認性を高めることができる。よって、本発明の実施形態によれば、金型収納ラック１０からのダイ金型１４（パンチ金型１２）の取出作業の作業性を十分かつ安定的に高めることができる。
【００４０】
また、本発明の実施形態によれば、前述のように、金型収納ラック１０における適数の空の所定の収納部３６ｄに適数の所定のダイ金型１４（パンチ金型１２）を戻す場合に、適数の空の所定の収納部３６ｄの存在を強調して、適数の空の所定の収納部３６ｄの視認性を高めることができる。よって、本発明の実施形態によれば、金型収納ラック１０へのダイ金型１４（パンチ金型１２）の戻し作業の作業性を十分かつ安定的に高めることができる。
【００４１】
なお、本発明は、前述の実施形態の説明に限るものでなく、例えば、ＬＥＤランプ４４に代えて、白熱電球、超高圧水銀ランプ、メタルハライドランプ、又はキセノンランプを指示ランプとして用いる等、その他、適宜の変更を行うことにより、種々の態様で実施可能である。そして、本発明に包含される権利範囲は、前述の実施形態に限定されないものである。
【符号の説明】
【００４２】
１０    金型収納ラック
１２    パンチ金型（金型）
１４    ダイ金型（金型）
１６    ラック本体
１８    支柱
２０    天板
２２    底板
２４    連結板
２６    収納棚
２８    スライドレール機構
３０    収納棚ベース
３２    金型保持部材
３２ｆ  フランジ部
３２ｎ  切欠
３４    収納プレート
３４ｓ  スリット
３６    直線溝
３６ｄ  収納部
３８    規定部材（ランプガード）
３８ｎ  切欠
３８ｒ  反射壁
４０    回路基板
４２    ブラケット
４４    ＬＥＤランプ（指示ランプ）
４６    サポート部材
４８    ＬＥＤランプ
５０    コントロールボックス
ＰＩ    通過空間（通過領域）
Ｓ    光
【図１】
2020069519.tif 000003
【図２】
2020069519.tif 000004
【図３】
2020069519.tif 000005
【図４】
2020069519.tif 000006
【図５】
2020069519.tif 000007
【図６】
2020069519.tif 000008
【図７】
2020069519.tif 000009
【図８】
2020069519.tif 000010
【図９】
2020069519.tif 000011